(57)【要約】【課題】犬などのペットの各個体の大きさ、種類、月齢、健康状態などの各個体の状況に応じて適切な食物摂取姿勢を可能にするペット用給餌台を提供する。【解決手段】餌入れを載置するテーブル板９と、テーブル板９を保持する支持板５とを備え、支持板５はテーブル板９を高さ調整可能に保持する複数のスリット１５を備えてなる。複数のスリット１５の中から給餌対象となるペットにとって最適の高さ位置にあるスリットを選択して、テーブル板９を選択されたスリット１５に挿入固定する。テーブル板９は挿入部２３に形成された長孔２５に楔状の止め具１１を挿入することによって支持板５にしっかりと固定される。【選択図】  図１
2008178337.tif 000002
【特許請求の範囲】
【請求項１】
餌入れを載置するテーブル板と、該テーブル板を保持するテーブル保持部材とを備え、該テーブル保持部材は前記テーブル板を高さ調整可能に保持する保持部を備えてなることを特徴とするペット用給餌台。
【請求項２】
テーブル保持部材は、ベース部と該ベース部に立設された壁部とを備えてなり、テーブル板を保持する保持部は、前記テーブル板を片持ち状態で保持するように構成されていることを特徴とする請求項１に記載のペット用給餌台。
【請求項３】
テーブル板を保持する保持部は、高さ方向に複数設けられた孔を有し、テーブル板の一辺に設けられた挿入部を前記孔に挿入することによって前記テーブル板を任意の高さで保持することを特徴とする請求項２に記載のペット用給餌台。
【請求項４】
テーブル板を保持する保持部を構成する孔は、水平方向に延びるスリットを有してなり、テーブル板の一辺に設けられた挿入部を前記スリットに挿入することによって前記テーブル板を保持することを特徴とする請求項２に記載のペット用給餌台。
【請求項５】
壁部を後方に傾斜させて立設すると共に、スリットの周壁面のうち下壁面には前方に向かって下降する傾斜部が設けられ、該傾斜部の傾斜角度が前記壁部の傾斜角度と略同一に設定されていることを特徴とする請求項４に記載のペット用給餌台。
【請求項６】
テーブル板を保持する保持部を構成する孔は、高さ方向に延びるスリットを有してなり、テーブル板の一辺に設けられた挿入部を前記スリットに挿入して任意の高さで前記挿入部を固定することによって前記テーブル板を保持することを特徴とする請求項２に記載のペット用給餌台。
【請求項７】
テーブル板の一辺に設けられた挿入部は、挿入状態で壁部の背面側に突出し、該突出した部分には止め用孔が形成され、テーブル板の挿入部をスリットに挿入した状態で前記止め用孔に止め具を挿入することによって前記テーブル板を固定するように構成されていることを特徴とする請求項３〜６の何れか一項に記載のペット用給餌台。
【請求項８】
止め具が、楔状の部材であることを特徴とする請求項７に記載のペット用給餌台。
【請求項９】
壁部は、テーブル板を設置状態で該テーブル板よりも上方に突出する障壁部を有することを特徴とする請求項２〜８の何れか一項に記載のペット用給餌台。
【発明の詳細な説明】
【技術分野】
【０００１】
本発明は、犬などのペットに餌を与える際に餌入れを載置するペット用給餌台に関する。
【背景技術】
【０００２】
犬などのペットに餌を与える際には、ペットフードを餌入れに入れ、餌入れを床に直において与えるのが一般的である。そのため、餌入れを載置するペット用給餌台についての考案は少ない。
本願に関連する技術として、出願人が調査したところでは、ペットフードを別の餌入れに入れ替えることなくペットフード入り容器をそのまま餌入れとして利用する考案において、そのようなペットフード入れ容器を保持するペットフード入り容器の保持台が提案されている（特許文献１参照）。
【特許文献１】特開２００３−１８９７９８号公報
【発明の開示】
【発明が解決しようとする課題】
【０００３】
特許文献１に示された保持台は、ペットフード入り容器を保持して、犬が餌を食べる際に容器が移動するのを防止して、犬が餌を食べやすくするという機能を備えているのみである。
【０００４】
しかしながら、最近では犬の食物摂取時の姿勢が犬の健康に及ぼす影響についての研究がなされており、以下のような見解が述べられている。
犬は食道が横向きについているため、頭を下げて食物を摂取するのは、食物が流れにくくなり、消化が悪くなる。また、頭を下げる姿勢は、背中や関節に負担をかけるので、好ましくない。特に老犬になると食事の際に頭を下げる姿勢の悪影響が顕著となる。
【０００５】
以上のように、犬にとっては食事の摂取は毎日のことであるにも関わらず、その姿勢が及ぼす悪影響を緩和しようとする試みや提案は見当たらない。
【０００６】
本発明はかかる課題を解決するためになされたものであり、犬などのペットの各個体の大きさ、種類、月齢、健康状態などの各個体の状況に応じて適切な食物摂取姿勢を可能にするペット用給餌台を提供することを目的としている。
【課題を解決するための手段】
【０００７】
（１）本発明に係るペット用給餌台は、餌入れを載置するテーブル板と、該テーブル板を保持するテーブル保持部材とを備え、該テーブル保持部材は前記テーブル板を高さ調整可能に保持する保持部を備えてなることを特徴とするものである。
なお、ペット用給餌台を形成する各部材の材質は特に限定されるものではなく、天然の木材やプラスチックなど種々のものが適用できる。
【０００８】
（２）また、上記（１）に記載のものにおいて、テーブル保持部材は、ベース部と該ベース部に立設された壁部とを備えてなり、テーブル板を保持する保持部は、前記テーブル板を片持ち状態で保持するように構成されていることを特徴とするものである。
【０００９】
テーブル板を片持ち状態で保持するようにしたことにより、テーブル板の前方及び左右両側に障害がなくなる。そのため、例えばテーブル板に複数の餌入れを載置した場合には、複数のペットが同時に食事をするのが可能になる。
また、テーブル板のテーブル板の前方及び左右両側に障害がなくなることにより、設置場所の自由度が高くなる。
この点、側壁があるような場合には、側壁にペットが顔をぶつけるなどして、給餌台を転倒させることが考えられるが、本発明では、このようなことがない。
なお、ベース部材は、ペット用給餌台を安定的に載置するためのベースとなるものである。その形状は、特に限定されるものではないが、例えば、壁部からテーブル板の下方側へ延出する矩形板などが挙げられる。
【００１０】
（３）また、上記（２）に記載のものにおいて、テーブル板を保持する保持部は、高さ方向に複数設けられた孔を有し、テーブル板の一辺に設けられた挿入部を前記孔に挿入することによって前記テーブル板を任意の高さで保持することを特徴とするものである。
【００１１】
テーブル板の一辺に設けられた挿入部を孔に挿入することによってテーブル板を保持するようにしたので、テーブルの高さを変更する場合は、複数の孔の中から最適の高さ位置の孔を選択してテーブル板の挿入部を挿入すればよい。
【００１２】
（４）また、上記（２）に記載のものにおいて、テーブル板を保持する保持部を構成する孔は、水平方向に延びるスリットを有してなり、テーブル板の一辺に設けられた挿入部を前記スリットに挿入することによって前記テーブル板を保持することを特徴とするものである。
【００１３】
なお、壁部に、高さ方向に複数の水平方向に延びるスリットを設けることにより、これが、壁部のデザインのアクセントとなり、意匠的な特徴となる。したがって、ペット用給餌台の全体形状の中で、スリットを有する壁部の部分は、この部分のみでも意匠的な特徴となり得るものである。
【００１４】
（５）また、上記（４）に記載のものにおいて、壁部を後方に傾斜させて立設すると共に、スリットの周壁面のうち下壁面には前方に向かって下降する傾斜部が設けられ、該傾斜部の傾斜角度が前記壁部の傾斜角度と略同一に設定されていることを特徴とするものである。
壁部を後方に傾斜させることにより、ペットが食事をするときに圧迫感を感じないようにできる。また、スリットの周壁面における下壁面に上記のような傾斜部を設けることにより、壁部を立設させた状態で、前記下壁面が水平になり、テーブル板を水平に設置できる。
【００１５】
（６）また、上記（２）に記載のものにおいて、テーブル板を保持する保持部を構成する孔は、高さ方向に延びるスリットを有してなり、テーブル板の一辺に設けられた挿入部を前記スリットに挿入して任意の高さで前記挿入部を固定することによって前記テーブル板を保持することを特徴とするものである。
高さ方向に延びるスリットを設けることにより、挿入部を無段階の高さ位置で保持することが可能となる。
【００１６】
（７）また、上記（３）〜（６）のいずれかに記載のものにおいて、テーブル板の一辺に設けられた挿入部は、挿入状態で壁部の背面側に突出する突出し、該突出した部分には止め用孔が形成され、テーブル板の挿入部をスリットに挿入した状態で前記止め用孔に止め具を挿入することによって前記テーブル板を固定するように構成されていることを特徴とするものである。
【００１７】
（８）また、上記（７）に記載のものにおいて、止め具が、楔状の部材であることを特徴とするものである。
テーブル板を楔状の止め具で固定するようにしたので、極めて簡易な構造でありながら、片持ち状態のテーブル板をしっかりと固定できる。
【００１８】
（９）また、上記（２）〜（８）の何れかに記載のものにおいて、壁部は、テーブル板を設置状態で該テーブル板よりも上方に突出する障壁部を有することを特徴とするものである。
テーブル板の設置状態で該テーブル板よりも上方に突出する障壁部があることにより、この障壁部がテーブル板上に載置された餌入れの後方への移動を防止し、餌入れが落下するのを防止できる。
【発明の効果】
【００１９】
本発明に係るペット用給餌台においては、テーブル板を高さ調整可能に保持する保持部を備えた構造としたので、ペットの個体の状況に応じてテーブル高さを調整することができ、ペットにとって最適な姿勢での給餌を実現できる。その結果、ペットの消化を促進でき、ペットの健康に寄与できる。特に、大型犬のように餌入れを床に直に置いた場合には首を大きく曲げる必要がある場合、あるいは老犬のように無理な姿勢の負担が大きいペットの場合に特に好適である。
【発明を実施するための最良の形態】
【００２０】
[実施の形態１]
図１は本発明の一実施の形態に係るペット用給餌台１の斜視図、図２は正面図、図３は左側面図、図４は背面図、図５は平面図、図６は底面図である。また、図７〜図１０はペット用給餌台１を構成する部品の部品図、図１１は図２の矢視Ａ−Ａ断面図、図１２は図２の矢視Ｂ−Ｂ断面図である。以下、図１〜図１２に基づいて本実施の形態のペット用給餌台１を説明する。
【００２１】
＜全体形状＞
本実施の形態に係るペット用給餌台１は、所定の間隔を離して並設された一対のベース部３と、一対のベース部３に跨って配置されて該ベース部３に立設された支持板５と、支持板５とベース部３とを連結固定する固定片７と、支持板５に一辺が挿入されてベース部３の上方で高さ調整可能に設置されたテーブル板９と、テーブル板９を支持板５に着脱可能に固定する楔状の止め具１１を備えて構成されている。
以下、本実施の形態に係るペット用給餌具を構成する各部品を詳細に説明する。
なお、本明細書において、「前」とは支持板５を基準にすると、テーブル板９が設置されている側をいい、「後」とはその逆側をいう。
【００２２】
（１）ベース部
ベース部３は支持板５を安定して保持するためのものであり、一定の幅を有する略長方形の板材からなる。ベース部３の後方から１/３くらいの部分には、支持板５を挿入するための浅い溝１３がベース幅方向に設けられている（図３、図１０参照）。ベース部３は、内側がほぼ直線で、外側の前部が内方に緩く湾曲する曲線になっている。
【００２３】
（２）支持板
支持板５は、本発明の壁部に相当する。支持板５は、図３に示されるように、後方側に向けて倒れるように若干斜め（約１０度の傾斜）に立設されている。斜めにすることにより、テーブル板９の上方空間が開放的になり、ペットにとって圧迫感がなく、また、餌入れを載置する際にスムーズな載置動作が実現できる。さらに、後方に倒すことにより、テーブル板９を片持ち支持したときの重心を後ろに移動することができ、その結果、ベース部３の前方への延出長さを短くできる。
【００２４】
支持板５は、全体形状が略正方形であり、上側の両角が円弧状に丸みを帯びた形状になっている。支持板５の中央部には、水平方向に延びる５個のスリット１５が設けられている。このスリット１５に、テーブル板９の一部が挿入可能になっている。スリット１５の周壁のうち下壁１７には前方に向かって若干下降する傾斜が設けられている（図７参照）。この傾斜の傾斜角度は、支持板５がベース部３に対して後方に傾斜している傾斜角度と同じ角度に設定されている。スリット１５の下壁１７にこのような傾斜を設けることで、支持板５をスリット１５に挿入した状態で、テーブル板９を水平に設置できる。
【００２５】
なお、この例では５つのスリット１５を設けているが、スリット１５の数はテーブル高さ調整段階の数に応じて変更すればよい。例えば、２、３、４、５、６、７、８、９、などいくつでもよい。
【００２６】
（３）固定片
固定片７は、ベース部３の上面側と支持板５の背面側との間に設置されて、ベース部３と支持板５を連結固定するものである。固定片７は、図３、図９に示すように、設置状態で後方上部の角が丸くなった略台形の板材からなる。
また、固定片７は、図９に示すように、下辺７ａおよび前辺７ｂにボルト孔２０を有し、図１１に示すように、ボルトねじ２１によって、その下辺７ａがベース部３に連結固定され、その前辺７ｂが支持板５に連結固定される。固定片７の前辺７ｂには、傾斜配置された支持板５に当接するように傾斜部が設けられている。
【００２７】
（４）テーブル板
テーブル板９は、図示しない餌入れを載置するものであり、平面形状が略小判形に形成されている。また、テーブル板９は、図８に示すように、設置状態で後ろ側に配置される辺に、支持板５のスリット１５に挿入される挿入部２３が後方へ突出するように形成されている。挿入部２３は、角が丸まった略長方形であり、止め具１１を挿入するための長孔２５が形成されている。長孔２５の周壁のうち、後方側の壁２７が前方側に傾斜して、楔状の止め具１１が挿入できるようになっている（図１２参照）。
テーブル板９の上面には、図８、図１２に示されるように、上方に少し突出する縁部２９が形成されている。縁部２９を設けることで、食器が落下するのを防止できる。
テーブル板９の挿入部２３を挟んだ両側下面には、テーブル板９を設置したときに、支持板５に当接してテーブル板９を保持するための当接部３１が形成されている（図８、図１１、図１２参照）。当接部３１は、テーブル板９の後辺と面一で下方に連続するように設けられている。当接部３１を設けることにより、片持ち状態のテーブル板９を安定して支持板５に保持することができる。
【００２８】
（５）止め具
止め具１１は、矩形の板材を楔状に加工してなるものである。使用状態で後面側の上部には幅方向に長い凹み部３３が設けられている（図１２参照）。凹み部３３は、止め具１１を外す際に指先を引掛ける部位であり、実際に止め具１１を外す場合は、凹み部３３に指先を引掛けて上方に引き上げるようにする。
【００２９】
＜組立方法＞
上記のように、本実施の形態のペット用給餌台１は、一対のベース部３、支持板５、一対の固定片７、テーブル板９、止め具１１から構成され、これらの各部品が簡易に組み立てるようになっている。つまり、製品の販売時においては、各部品がばらばらになっており、ユーザにおいて組み立てて使用する。
以下においては、組立方法を説明する。
まず、一対のベース部３にそれぞれ固定片７をボルトにて固定する。固定に際しては、固定片７をベース部３の上面に立設して、図１１に示すように、ベース部３の下面側からボルトを挿入して固定する。固定片７が設置されたベース部３を所定の間隔で離した状態で、支持板５を立設する。支持板５の裏面側を固定片７に当接させた状態で、図１１に示すように、支持板５の前面側からボルトを挿入して固定する。
【００３０】
次に、テーブル板９の挿入部２３を、支持板５における最適な高さのスリット１５に挿入する。そして、挿入部２３における長孔２５に止め具１１を上から挿入してテーブル板９を支持板５にしっかりと固定する。固定状態では、図３に示されるように、テーブル板９は水平になる。
テーブル板９の高さを変える際には、止め具１１の背面側の凹み部３３に指先を引掛け、止め具１１を上方に引き抜くようにする。そして、テーブル板９の挿入部２３をスリット１５から引き抜き、別のスリット１５に挿入して、上記と同様に、止め具１１によってテーブル板９を支持板５にしっかりと固定する。
【００３１】
＜使用方法＞
本実施の形態のペット用給餌台１の使用に際しては、テーブル板９を所定の高さ位置にセットして、テーブル板９上面に餌入れを載置して使用する。
この使用状態において、テーブルの正面側および左右両側面には、何らの障害もないので、ペットが餌を食べる際に食べやすい。また、何らの障害がないことで、設置場所の自由度が高いという利点もある。
【００３２】
さらに、図１に示されるように、テーブル板９の後方側は、テーブル板９よりも上方に突出する支持板５によって障壁部が形成されるので、例えば犬が餌入れを鼻で後方に押したとしても、この障壁部によって餌入れがずれたり落下したりするのを防止できる。支持板５におけるテーブル９よりも上方に突出する部分が本発明の障壁部に相当する。
このように、本実施の形態のペット用給餌台１は、前方、左右両側に何らの障害がなく、後方には支持板５によって形成される障壁部があることで、ペットの食べやすさ、設置の自由度を確保しつつ、餌入れの落下防止を実現しているのである。
【００３３】
本実施の形態に係るペット用給餌台１は、例えば複数のペットを飼育しているような場合において、個体ごとにテーブル高さを変える際に、上述したように、止め具１１を引抜き、テーブル板９の挿入位置を代え、さらに止め具１１を挿入するという極めて簡易な動作での高さ変更が可能である。しかも、止め具１１でしっかりとテーブル板９が支持板５に固定されるので、テーブル板９の安定性も高い。
【００３４】
[実施の形態２]
図１３〜図１８は、本発明の実施の形態２に係るペット用給餌台３４の説明図であり、図１３が斜視図、図１４が正面図、図１５が左側面図、図１６が背面図、図１７が平面図、図１８が底面図である。
本実施の形態のペット用給餌台３４を構成する部品の種類は、実施の形態１のものと同じであり、一対のベース部３５、支持板３７、一対の固定片３９、テーブル板４１、止め具４３からなる。
しかしながら、実施の形態１のものとは、各部品の形状が異なる。これは、各部品の形状を異ならせることによって、意匠的な特徴をもたせたものである。以下においては、形状の部品の形状の特徴について説明する。
【００３５】
（１）ベース部
ベース部３５は、実施の形態１のものとほぼ同様であるが、外側が全体に湾曲している点が異なる。
（２）支持板
支持板３７は、図１３に示されるように、全体形状が、動物のコアラに似せた形状をしている。コアラに似せた輪郭にして、上部には目に相当する２つのくりぬき孔４５と、その間に鼻に相当する逆三角形のくりぬき孔４７が設けられている。そして、テーブル板４１を挿入するためのスリット４９は、口に相当する位置に複数設けられている。
支持板３７は、図１５に示されるように、ベース部３５に直立して設置されている。
スリット４９の周壁におけるテーブル板４１と接する下面は水平になっている。これは、支持板３７が実施の形態１のように後方に傾斜していないからである。そのため、加工が容易である。
【００３６】
（３）固定片
固定片３９は、図１５、図１６に示されるように、略矩形状からなる。そして、実施の形態１とは異なり、矩形状の板の厚み部分ではなく、板の広い面で支持板３７と当接するようになっている。これは、支持板３７が直立しているために固定片３９を支持板３７に当接させるために、実施の形態のように斜めの加工が不要であることから、最も簡易な形状で、かつ、当接面を広くして安定化を図っている。
【００３７】
（４）テーブル板
テーブル板４１は、図１７に示されるように、略まゆ型をしている。
なお、テーブル板４１には、実施の形態１のテーブル板９に設けた当接部３１を設けていないが、テーブル板４１が挿入されるスリット４９の周壁下面が水平であるため、当接部３１がなくても、テーブル板４１における挿入部の両側辺部が支持板３７に当接して安定した保持が可能である。
（５）止め具
止め具４３は、実施の形態１と同様に楔状のものである。
【００３８】
[実施の形態３]
図１９〜図２４は、本発明の実施の形態２に係るペット用給餌台５０の説明図であり、図１９が斜視図、図２０が正面図、図２１が左側面図、図２２が背面図、図２３が平面図、図２４が底面図である。
本実施の形態のペット用給餌台５０を構成する部品の種類は、実施の形態２と同様に実施の形態１のものと同じであり、一対のベース部５１、支持板５３、一対の固定片５５、テーブル板５７、止め具５９からなる。
また、実施の形態１のものとは、各部品の形状が異なっており、意匠的な特徴をもたせている点も実施の形態２と同様である。そこで、以下においては、実施の形態２の説明と同様に各部品の形状の特徴について説明する。
【００３９】
（１）ベース部
ベース部５１は、実施の形態１のものとほぼ同様であるが、外側が全体に湾曲している点が異なる。
（２）支持板
支持板５３は、図１９、図２０に示されるように、全体形状が、略台形であり、かつ四角が丸くなっている。特に、上側の角は緩やかな曲線になっている。その結果、全体におにぎり形状になっている。
支持板５３は、図２１に示されるように、実施の形態２と同様に、ベース部５１に直立して設置されている。
【００４０】
（３）固定片
固定片５５は、図２１、図２２に示されるように、実施の形態２と同様である。
（４）テーブル板
テーブル板５７は、図２３に示されるように、楕円を長手方向に半割にした形状である。
なお、テーブル板４１には、実施の形態１のテーブル板９に設けた当接部３１を設けていないが、テーブル板４１が挿入されるスリット４９の周壁下面が水平であるため、当接部３１がなくても、テーブル板５７における挿入部の両側辺部が支持板５３に当接して安定した保持が可能である点は、実施の形態２と同様である。
（５）止め具
止め具５９は、実施の形態１と同様に楔状のものである。
【００４１】
以上のように、実施の形態３のペット用給餌台５０は、ベース部５１、支持板５３、テーブル板５７がすべて円弧を基調としており、全体に丸みを帯びた点に意匠的な特徴がある。
【図面の簡単な説明】
【００４２】
【図１】本発明の実施の形態１に係るペット用給餌具の斜視図である。
【図２】本発明の実施の形態１に係るペット用給餌具の正面図である。
【図３】本発明の実施の形態１に係るペット用給餌具の左側面図である。
【図４】本発明の実施の形態１に係るペット用給餌具の背面図である。
【図５】本発明の実施の形態１に係るペット用給餌具の平面図である。
【図６】本発明の実施の形態１に係るペット用給餌具の底面図である。
【図７】本発明の実施の形態１に係るペット用給餌具の一部品である支持板の斜視図である。
【図８】本発明の実施の形態１に係るペット用給餌具の一部品であるテーブル板の斜視図である。
【図９】本発明の実施の形態１に係るペット用給餌具の一部品である固定片の斜視図である。
【図１０】本発明の実施の形態１に係るペット用給餌具の一部品であるベース部の斜視図である。
【図１１】図２の矢視Ａ―Ａ断面図である。
【図１２】図２の矢視Ｂ―Ｂ断面図である。
【図１３】本発明の実施の形態２に係るペット用給餌具の斜視図である。
【図１４】本発明の実施の形態２に係るペット用給餌具の正面図である。
【図１５】本発明の実施の形態２に係るペット用給餌具の左側面図である。
【図１６】本発明の実施の形態２に係るペット用給餌具の背面図である。
【図１７】本発明の実施の形態２に係るペット用給餌具の平面図である。
【図１８】本発明の実施の形態２に係るペット用給餌具の底面図である。
【図１９】本発明の実施の形態３に係るペット用給餌具の斜視図である。
【図２０】本発明の実施の形態３に係るペット用給餌具の正面図である。
【図２１】本発明の実施の形態３に係るペット用給餌具の左側面図である。
【図２２】本発明の実施の形態３に係るペット用給餌具の背面図である。
【図２３】本発明の実施の形態３に係るペット用給餌具の平面図である。
【図２４】本発明の実施の形態３に係るペット用給餌具の底面図である。
【符号の説明】
【００４３】
１  ペット用給餌台
３  ベース部
７  固定片
９  テーブル板
１１  止め具
１５  スリット
２３  挿入部
２５  長孔
３４  ペット用給餌台
３５  ベース部
３７  支持板
３９  固定片
４１  テーブル板
４３  止め具
４９  スリット
５０  ペット用給餌台
５１  ベース部
５３  支持板
５５  固定片
５７  テーブル板
５９  止め具
【図１】
2008178337.tif 000003
【図２】
2008178337.tif 000004
【図３】
2008178337.tif 000005
【図４】
2008178337.tif 000006
【図５】
2008178337.tif 000007
【図６】
2008178337.tif 000008
【図７】
2008178337.tif 000009
【図８】
2008178337.tif 000010
【図９】
2008178337.tif 000011
【図１０】
2008178337.tif 000012
【図１１】
2008178337.tif 000013
【図１２】
2008178337.tif 000014
【図１３】
2008178337.tif 000015
【図１４】
2008178337.tif 000016
【図１５】
2008178337.tif 000017
【図１６】
2008178337.tif 000018
【図１７】
2008178337.tif 000019
【図１８】
2008178337.tif 000020
【図１９】
2008178337.tif 000021
【図２０】
2008178337.tif 000022
【図２１】
2008178337.tif 000023
【図２２】
2008178337.tif 000024
【図２３】
2008178337.tif 000025
【図２４】
2008178337.tif 000026